(57)【特許請求の範囲】
【請求項１】
ワードローブを実現するモジュール式装置であって、成形プラスチック材料から得られる以下のモジュール：
−第１の枠付きの四角形パネル（１）であって、家具の部材の底又は棚として働くように構成され、上面に、ともに止め手段（５ａ、５ｂ）が設けられる長手方向連結手段（１ｂ）及び横方向連結手段（１ａ）が設けられ、該長手方向連結手段（１ｂ）及び該横方向連結手段（１ａ）は、同じ該第１のパネル（１）の下面の、同様に止め手段（５ａ、５ｂ）が設けられる長手方向連結手段（１０ｂ）及び横方向連結手段（１０ａ）に対応し；前記長手方向連結手段（１ｂ、１０ｂ）は該第１のパネル（１）の後方長手方向縁に少なくとも対応して位置し、前記横方向連結手段（１ａ、１０ａ）は該第１のパネル（１）の横方向縁及び中央領域に対応して位置するようになっている、第１の枠付きの四角形パネル（１）、
−前記家具の部材の枠付きの四角形後部（９）であって、前記第１のパネル（１）の前記長手方向連結手段（１ｂ、１０ｂ）と協働するように構成される下側長手方向縁（９ａ）及び上側長手方向縁（９ｂ）が設けられ、前記第１のパネル（１）の前記長手方向連結手段（１ｂ、１０ｂ）に設けられる前記止め手段（５ａ、５ｂ）と協働するように構成される止め手段（１３ｂ、１３ａ）も設けられる、枠付きの四角形後部（９）；
−前記家具の部材の側部仕切り又は内部仕切りとして働くように構成される枠付きの四角形壁（１４）であって、前記第１のパネル（１）の前記長手方向連結手段（１ａ、１０ａ）と協働するように構成される下側長手方向縁（１４ａ）及び上側長手方向縁（９ｂ）が設けられ、前記パネル（１）の前記横方向連結手段（１ｂ、１０ｂ）に設けられる前記止め手段（５ａ、５ｂ）と協働するように構成される止め手段（１５ｂ、１５ａ）も設けられる、枠付きの四角形壁（１４）；
−前記家具の部材の枠付きの四角形最上部（１６）であって、下面に、ともに止め手段（５ｂ）が設けられるとともに、前記第１のパネル（１）の前記長手方向連結手段（１ｂ、１０ｂ）及び前記横方向連結手段（１ａ、１０ａ）に対して鏡面対称位置に配置される長手方向連結手段（１００ｂ’）及び横方向連結手段（１００ａ’）が設けられ；該最上部（１６）の前記長手方向連結手段（１００ｂ’）は前記後部（９）の前記上側長手方向縁（９ｂ）と協働するように構成され、前記止め手段（５ｂ）は、前記後部（９）の前記上側長手方向縁（９ｂ）に設けられる前記止め手段（１３ｂ）と協働するように構成されるようになっており；該最上部（１６）の前記横方向連結手段（１００ｂ’）は前記壁（１４）の前記上側長手方向縁（１４ｂ）と協働するように構成され、前記止め手段（５ｂ）は、前記壁（１４）の前記上側長手方向縁（１４ｂ）に設けられる前記止め手段（１５ｂ）と協働するように構成されるようになっている、枠付きの四角形最上部（１６）
を備えることを特徴とする、モジュール式装置。
【請求項２】
前記第１のパネル（１）に設けられる前記長手方向連結手段及び前記横方向連結手段は、直線的な溝（１ｂ、１０ｂ／１ａ、１０ａ）からなり；前記第１のパネル（１）の前記上面に得られる前記溝（１ｂ、１ａ）は、水平仕切り（１１）によって、前記第１のパネル（１）の前記下面に得られる前記溝（１０ｂ、１０ａ）から隔てられるようになっており；また、長手方向溝（１ｂ、１０ｂ）は、前記後部（９）の前記下側長手方向縁（９ａ）及び前記上側長手方向縁（９ｂ）を、前記水平仕切り（１１）に当接して止まるまでそれぞれ正確に収容するように構成され、横方向溝（１ａ、１０ａ）は、前記壁（１４）の前記下側長手方向縁（１４ａ）及び前記上側長手方向縁（１４ｂ）を、前記水平仕切り（１１）に当接して止まるまでそれぞれ収容するように構成されるようになっていることを特徴とする、請求項１に記載の装置。
【請求項３】
前記第１のパネル（１）の前記直線的な溝（１ａ、１ｂ、１０ａ／１０ｂ）のそれぞれには、該溝の深さよりも低い高さを有する等間隔に離間した一連の横断仕切り（１ａ’、１ｂ’／１０ａ’、１０ｂ’）が設けられることを特徴とする、請求項２に記載の装置。
【請求項４】
前記後部（９）の前記下側縁（９ａ）及び前記上側縁（９ｂ）、並びに前記壁（１４）の前記下側縁（１４ａ）及び前記上側縁（１４ｂ）には、等間隔に離間した対向する対の、Ｖ字形のノッチ（１２）が設けられ、各対の該ノッチ（１２）は、前記後部（９）の前記縁（９ａ、９ｂ）の、前記第１のパネル（１）の対応する前記長手方向溝（１ｂ、１０ｂ）への、及び前記壁（１４）の前記縁（１４ａ、１４ｂ）の、同じ前記第１のパネル（１）の対応する前記横方向溝（１ａ、１０ａ）への挿入中に、前記溝（１ｂ、１０ｂ／１ａ、１０ａ）から突出する前記垂直仕切り（１ｂ’、１０ｂ’／１ａ’、１０ａ’）のうちの１つと、「跨った」位置で連結されるように構成されるようになっていることを特徴とする、請求項１〜３のいずれか一項に記載の装置。
【請求項５】
前記第１のパネル（１）に設けられる前記止め手段（５ａ、５ｂ）は、上下にある対応する対の水平スロット（５ａ、５ｂ）からなり、第１のスロット（５ａ）は前記第１のパネル（１）の前記上面に設けられる前記溝（１ａ、１ｂ）の側面において得られ、一方で第２のスロット（５ｂ）は、前記水平仕切り（１１）が介在した状態で、前記第１のパネル（１）の前記下面に設けられる前記溝（１０ａ、１０ｂ）の外側縁に得られることを特徴とする、請求項１〜４のいずれか一項に記載の装置。
【請求項６】
前記後部（９）の前記下側長手方向縁（９ａ）及び前記上側長手方向縁（９ｂ）に設けられる前記止め手段は、楔形材（１３ａ、１３ｂ）の対からなり、垂直壁（１４）の前記下側長手方向縁（１４ａ、１４ｂ）に設けられる前記止め手段は、対応する対の楔形材（１５ａ、１５ｂ）からなり；前記後部（９）の前記下側長手方向縁（９ａ）及び前記垂直壁（１４）の前記下側長手方向縁（１４ａ）にそれぞれ設けられる前記楔形材（１３ａ、１５ａ）は、前記第１のパネル（１）の前記上面の前記長手方向溝（１ｂ）及び前記横方向溝（１ａ）にそれぞれ設けられる前記第１のスロット（５ａ）に嵌まるように構成されるようになっており；また、前記後部（９）の前記上側長手方向縁（９ｂ）及び前記垂直壁（１４）の前記上側長手方向縁（１４ｂ）にそれぞれ設けられる前記楔形材（１３ｂ、１５ｂ）は、前記第１のパネル（１）の前記下面の前記長手方向溝（１０ｂ）及び前記横方向溝（１０ａ）にそれぞれ設けられる前記第２のスロット（５ｂ）に嵌まるように構成されるようになっていることを特徴とする、請求項１〜５のいずれか一項に記載の装置。
【請求項７】
前記最上部（１６）に設けられる前記長手方向連結手段及び前記横方向連結手段は、前記後部（９）の前記上側長手方向縁（９ｂ）及び前記壁（１４）の前記上側長手方向縁（１４ｂ）をそれぞれ正確に収容するように構成される直線的な溝（１００ｂ、１００ａ）からなることを特徴とする、請求項１〜６のいずれか一項に記載の装置。
【請求項８】
上部（１５）の前記直線的な溝（１００ｂ、１００ａ）のそれぞれには、対応する該溝の深さよりも低い高さを有する一連の横断仕切り（１００ｂ’、１００ａ’）が設けられ；該仕切り（１００ｂ’、１００ａ’）のそれぞれは、前記後部（９）の前記上側長手方向縁（９ｂ）及び各壁（１４）の前記上側長手方向縁（１４ｂ）の、目的の前記溝（１００ｂ、１００ａ）内への挿入中に、後部（９）の前記上側長手方向縁（９ｂ）及び壁（１４）の前記上側長手方向縁（１４ｂ）に設けられる前記対向する対のＶ字形のノッチ（１２）のうちの１つと正確に連結されるように構成されるようになっていることを特徴とする、請求項７に記載の装置。
【請求項９】
前記最上部（１６）に設けられる前記止め手段は、前記溝（１００ａ、１００ｂ）の側縁のうちの１つに得られるとともに、前記後部（９）の前記上側長手方向縁及び前記壁（１４）の前記上側長手方向縁にそれぞれ得られる前記楔形材（１３ｂ、１５ｂ）を受け入れるようにも構成される第２のスロット（５ｂ）からなることを特徴とする、請求項７又は８に記載の装置。
【請求項１０】
前記第１のパネル（１）の前記上面には、２つの同一の連続的な部分（２）が設けられ、該２つの同一の連続的な部分間には前記横方向溝（１ａ）のうちの１つが介在することを特徴とする、請求項１〜９のいずれか一項に記載の装置。
【請求項１１】
前記パネル（１）の前記下面には、その前方長手方向縁及び後方長手方向縁の近傍の垂直軸を有する複数の対の筒状の座部（３２）が設けられることを特徴とする、請求項１〜１０のいずれか一項に記載の装置。
【請求項１２】
前記パネル（１）には、前記上面に設けられる前記中央の横方向溝（１ａ）の前方端部に得られる第１の座部（１ａ’’）、及び前記下面に設けられる前記横方向溝（１０ａ）の前方端部に得られる第２の座部が設けられることを特徴とする、請求項１〜１１のいずれか一項に記載の装置。
【請求項１３】
前記最上部（１６）には、前記下面に設けられる前記中央の横方向溝（１００ａ）の前方端部に得られる座部（１００ａ’’）が設けられることを特徴とする、請求項１〜１２のいずれか一項に記載の装置。
【請求項１４】
前記後部（９）の前面には、前記第１のパネル（１）に設けられる前記横方向連結手段（１ａ、１０ａ）と完全に位置合わせして配置されるとともに、前記壁（１４）のそれぞれの後方垂直縁に設けられる連結手段（１４ｃ）と協働するようにも構成される連結手段（９ｃ）が設けられることを特徴とする、請求項１〜１３のいずれか一項に記載の装置。
【請求項１５】
前記後部（９）に設けられる前記連結手段のそれぞれは、垂直な直線的な溝（９ｃ）からなること、及び、前記壁（１４）のそれぞれに設けられる前記連結手段は、前記溝（９ｃ）に正確に挿入されるように構成される直線的なリブ（１４ｃ）からなることを特徴とする、請求項１４に記載の装置。
【請求項１６】
前記後部（９）及び前記壁（１４）は、垂直方向の横断リブ（Ｎ）によって内部が補強される同じ空の構造を有することを特徴とする、請求項１〜１５のいずれか一項に記載の装置。
【請求項１７】
前記パネル（１）及び前記最上部（１６）の前記前方長手方向縁には、４つの正方形の孔が設けられ、該孔のうちの２つ（ＦＣ）は前記前方縁の両端部に向かって位置し、２つ（Ｆ）は、前記中央の横方向溝（１ａ、１００ａ）の２つの側において該中央の横方向溝に近接して対称な位置に位置することを特徴とする、請求項１〜１６のいずれか一項に記載の装置。
【請求項１８】
装置は、下側縁（１８ａ）及び上側縁（１８ｂ）の双方に止め手段（１９ａ、１９ｂ）と関連付けられる連結手段（１２）が設けられる枠付きの四角形ドア（１８）からなる付加的なモジュールを含み；前記ドア（１８）の後方垂直縁には、ヒンジ（２１）を適用する手段（２０）も設けられるようになっていることを特徴とする、請求項１〜１７のいずれか一項に記載の装置。
【請求項１９】
−前記ドア（１８）の前記下側縁（１８ａ）及び前記上側縁（１８ｂ）を正確に挿入するための１つの口（ＩＭ）がともに設けられる第１の枠付きの仕上げストリップ（２２）及び第２の枠付きの仕上げストリップ（２２’）であって；該仕上げストリップ（２２、２２’）には、前記１つの口に、前記ドア（１８）の前記下側縁（１８ａ）及び前記上側縁（１８ｂ）に設けられる対応する連結手段（１２）及び止め手段（１９ａ、１９ｂ）と協働するように構成される連結手段（２２ａ）及び止め手段（５ｂ）も設けられるようになっている、第１の枠付きの仕上げストリップ（２２）及び第２の枠付きの仕上げストリップ（２２’）、
−前記ドア（１８）の前記下側縁（１８ａ）及び前記上側縁（１８ｂ）を正確に挿入するための２つの反対側にある口（ＩＭＩ、ＩＭＳ）がともに設けられる第１の枠付きの接続ストリップ（２５）及び第２の枠付きの接続ストリップ（２５’）であって；該接続ストリップ（２５、２５’）には、前記口のそれぞれに、前記ドア（１８）の前記下側縁（１８ａ）及び前記上側縁（１８ｂ）に設けられる対応する連結手段（１２）及び止め手段（１９ａ、１９ｂ）と協働するように構成される連結手段（２５ａ）及び止め手段（５ｂ）も設けられるようになっている、第１の枠付きの接続ストリップ（２５）及び第２の枠付きの接続ストリップ（２５’）
からなる付加的なモジュールを備えることを特徴とする、請求項１８に記載の装置。
【請求項２０】
前記ドア（１８）の前記下側長手方向縁（１８ａ）及び前記上側長手方向縁（１８ｂ）に設けられる前記連結手段は、等間隔に離間した対向する対の、Ｖ字形のノッチ（１２）からなること、並びに、前記枠付きの仕上げストリップ（２２、２２’）及び前記接続ストリップ（２５、２５’）の対応する前記連結手段は、該ストリップの対向する長手方向縁（２２ｂ、２２ｃ／２５ｂ、２５ｃ）間に位置するとともに、前記ドア（１８）の前記下側長手方向縁（１８ａ）及び前記上側長手方向縁（１８ｂ）に設けられる前記Ｖ字形のノッチ（１２）と正確に接合されるようにも構成される垂直横断仕切り（２２ａ、２５ａ）からなることを特徴とする、請求項１９に記載の装置。
【請求項２１】
前記ドア（１８）の前記下側縁（１８ａ）及び前記上側縁（１８ｂ）に設けられる前記止め手段は楔形材（１９ａ、１９ｂ）の対からなること、並びに、前記枠付きの仕上げストリップ（２２、２２’）及び前記接続ストリップ（２５、２５’）の前記止め手段は、前記ドア（１８）の前記楔形材（１９ａ、１９ｂ）が嵌まるように該ストリップの前記第１の長手方向縁（２２ｂ、２５ｂ）に得られる第１の水平スロット（５ａ）及び第２の水平スロット（５ｂ）からなることを特徴とする、請求項１９に記載の装置。
【請求項２２】
前記接続ストリップ（２５、２５’）の内部には、それらの高さの半分にかつ中央領域にのみ、該ストリップ（２５、２５’）の前記口のうちの第１の口（ＩＭＩ）に設けられる一連の前記横断仕切り（２５ａ）を、前記口のうちの第２の口（ＩＭＳ）に設けられる一連の同様の横断仕切り（２５ａ）から隔てる長手方向仕切り（２５ｄ）が設けられ；前記接続ストリップ（２５、２５’）のそれぞれには、前記第１の長手方向縁（２５ｂ）の両端部に向かって、前記水平仕切り（２５ｄ）よりも高い高さに位置する前記第１の水平スロットのうちの２つ（５ａ）、及び前記水平仕切り（２５ｄ）よりも低い高さに位置する２つの第２のスロット（５ｂ）が設けられるようになっていることを特徴とする、請求項１９〜２１のいずれか一項に記載の装置。
【請求項２３】
前記第１の仕上げストリップ（２２）には、前記第２の長手方向縁（２２ｃ）の外側位置にハンドル（２３）が設けられることを特徴とする、請求項１９〜２１のいずれか一項に記載の装置。
【請求項２４】
前記第１の接続ストリップ（２５）には、前記第２の長手方向縁（２５ｃ）の外側位置にハンドル（２３）が設けられることを特徴とする、請求項１９〜２２のいずれか一項に記載の装置。
【請求項２５】
前記第１の仕上げストリップ（２２）及び前記第１の接続ストリップ（２５）には、正面の対応する前記ハンドル（２３）の近傍に目（２００）が設けられることを特徴とする、請求項２３又は２４のいずれか一項に記載の装置。
【請求項２６】
前記第１の仕上げストリップ（２２）及び前記第１の接続ストリップ（２５）の、前記第１の縁（２２ｂ、２５ｂ）の外側位置には、前記パネル（１）及び前記最上部（１６）の前方縁の中央に向かって設けられる前記正方形の孔（Ｆ）のうちの１つに強制的に挿入されるように構成される、弾性変形可能な構造を有するオメガ形状の突起（２４）が設けられることを特徴とする、請求項１９〜２５のいずれか一項に記載の装置。
【請求項２７】
ヒンジ（２１）を適用する前記ドア（１８）の前記後方垂直縁に設けられる手段は、筒状の円筒形材（２０）からなり、該筒状の円筒形材の下側端部（２０ａ）及び上側端部（２０ｂ）は、特定の距離だけ隔てられたままで、前記ドア（１８）の前記下側縁（１８ａ）及び前記上側縁（１８ｂ）の高さにそれぞれ配置されることを特徴とする、請求項１８に記載の装置。
【請求項２８】
前記筒状の形材（２０）と協働するように構成される前記ヒンジ（２１）のそれぞれは、前記筒状の形材（２０）の前記端部（２０ａ、２０ｂ）のうちの一方に正確に貫入するように構成される円筒スリーブ（２１ａ）、並びに、前記パネル（１）及び前記最上部（１６）の前記前方縁の両端部に向かって設けられる前記正方形の孔（ＦＣ）のうちの１つに強制的に係合するとともに該正方形の孔（ＦＣ）のうちの１つの内部でブロックされるように構成される径方向プラグ（Ｓ）から形成されることを特徴とする、請求項２７に記載の装置。
【請求項２９】
前記径方向プラグ（Ｓ）のそれぞれは、弾性圧縮可能なＶ字形のブリッジ（２１ｃ）によって端部が接続されるとともに、端部に垂直位置の歯（２１ｄ）も設けられる２つの収束アーム（２１ｃ）から形成されることを特徴とする、請求項２８に記載の装置。
【請求項３０】
前記ドア（１８）には、垂直方向の横断リブ（Ｎ）によって内部が補強される空の構造が設けられることを特徴とする、請求項１８に記載の装置。
【請求項３１】
−前記壁（１４）と同一の高さを有する枠付きの柱（２６）であって、枠付きの柱の下側端部（２６ａ）は、前記第１のパネル（１）の前記上面の中央において実現される前記横方向溝（１ａ）の前方端部に設けられる座部（１ａ’’）内に挿入されるように構成され、一方で、該柱（２６）の上側端部（２６ａ’）は、前記第１のパネル（１）の前記下面及び前記最上部（１６）の前記下面の中央においてそれぞれ実現される前記横方向溝（１０ａ、１００ａ）の前方端部に設けられる座部（１００ａ’’）に挿入されるように構成され；該柱（２６）の前記端部（２６ａ、２６ａ’）のそれぞれには段部（２６ｂ、２６ｂ’）が接合されるようにもなっている、枠付きの柱（２６）、
−前記第１のパネル（１）の前記連続的な部分（２）と組み合わせて１つの一続きの面を形成するように、前記第１のパネル（１）の前記上面の中央に設けられる前記横方向溝（１ａ）に前記柱（２６）の後部において正確に挿入されるように構成される矩形のプレート（２７）であって；該プレート（２７）の横方向には、前記横方向溝（１ａ）を画定する垂直縁の一方及び／又は他方に設けられる前記第１のスロット（５ａ）の対応するサンプルに嵌まるように構成される弾性的に可撓性の楔形材（２７ａ）が設けられるようにもなっている、矩形のプレート（２７）
からそれぞれなる付加的な２つの構成部材を備えることを特徴とする、請求項１０に記載の装置。
【請求項３２】
装置は、前記第１のパネル（１）と同じ形状及び寸法を有する、前記家具の部材の棚として働くように構成されるとともに、上側位置に３つの横方向溝（１ａ）に接続される後方長手方向溝（１ｂ）、並びに下側位置に長手方向溝及び３つの横方向溝も設けられる第２の枠付きの四角形パネル（１１０）からなる付加的な構成部材を備え；該第２のパネル（１１０）には、前記中央の長手方向溝（１ａ）の一方の側に、連続的な部分（２）が設けられ、一方で、反対の側では、前記横方向溝（１ａ）の側に近接して、前記中央の溝（１ａ）の反対の側に設けられる前記連続的な部分（２）の上面と同じ高さに上面が配置される枠付きのストリップ（１１１）が設けられるようになっており；前記第２のパネル（１１０）の前方には、前記端部に向かって位置する前記正方形の孔のうちの２つ（ＦＣ）、及び前記中央の横方向溝（１ａ）の両側において中央に向かって対称に位置する前記正方形の孔のうちの２つ（Ｆ）が設けられるようになっていることを特徴とする、請求項１〜３１のいずれか一項に記載の装置。
【請求項３３】
前記第２のパネル（１１０）の前記ストリップ（１１０）の中央には、底に等間隔に離間した孔（１１２ａ）が設けられるより低い長手方向領域（１１２）が設けられ、一方で、前記第２のパネルの外側縁には、前記孔（１１２ａ）に対して互い違いの位置に垂直ペグ（１１２ｂ）が得られることを特徴とする、請求項３２に記載の装置。
【請求項３４】
装置は、前記家具の部材のための足部（３０）からなる付加的な構成部材を備え；前記足部（３０）は上側の平面的な面を有する枠付きの構造を有し、上側の平面的な面からは、前記第１のパネル（１）の下に設けられる垂直軸を有する前記筒状の座部（３２）の対のうちの一方に正確に挿入されるように構成される、２つの対称に対向するプラグ（３１ａ、３１ｂ）が突出するようになっていることを特徴とする、請求項１〜３３のいずれか一項に記載の装置。
【請求項３５】
前記足部（３０）には切頭ピラミッド形状が与えられ、前記２つのプラグ（３１ａ、３１ｂ）は半楕円形のプロファイルを有し；前記プラグのうちの第１のプラグ（３１ａ）は、前記足部（３０）の中央に位置し、一方で、前記第２のプラグ（３１ｂ）は、前記第１のプラグ（３１ａ）と前記足部（３０）の後方縁（３０ｂ）との間の距離の半分に位置するようにもなっていることを特徴とする、請求項３４に記載の装置。
【請求項３６】
装置は、前記第１のパネル（１）、前記第２のパネル（１１０）及び前記最上部（１６）、並びに前記後部（９）及び前記壁（１４）に設けられる前記正方形の孔（Ｆ、ＦＣ）に強制的に挿入されるとともに嵌まるように構成されるキャップ（１７）からなる付加的な構成部材を備えることを特徴とする、請求項３２又は３３のいずれか一項に記載の装置。
【請求項３７】
前記キャップ（１７）には、正方形のベースを有する空のピラミッド形のヘッド（１７ａ）が設けられ、ベースの後方開口は正方形の縁（１７ｂ）によって画定され、正方形の縁からは、該正方形の縁（１７ｂ）の外側位置において、前記キャップ（１７）の中央に向かって収束する傾斜したプロファイル（１７ｄ）を有する、２つの対向する対のフック形状の歯（１７ｃ）が部分的に突出することを特徴とする、請求項３６に記載の装置。
【発明の詳細な説明】
【技術分野】
【０００１】
本特許出願は、プラスチック構造体によって提供される、家具、基本的にはワードローブを実現するのに用いられるモジュール式装置に関する。
【０００２】
本発明はさらに、家具市場の現在の要件を入念に調査するために考案された。
【背景技術】
【０００３】
消費者は、多くの場合に、低い価格及び好ましい美観に加えて、多用途性を特徴とする家具を探している。
【０００４】
特に、家具は、利用可能なスペース及び実際の必要性に合わせて容易に調整されなければならない。同時に、大幅な変更を必要とすることなく、また専門的な労力を用いることなく、変化する必要性に従ってその形態を迅速に変えることが可能でなければならない。
【発明の概要】
【発明が解決しようとする課題】
【０００５】
本発明の装置の特定の目的は、ワードローブ又は同じタイプの別の家具の部材を作るときに、上述した必要性を全て満たすことである。
【０００６】
本発明の装置の特定の有用性は、特別な外観形状を有するワードローブを実現することではない。目的は、費用を手頃なレベルに抑えながらも、ユーザが自身の特定の要件に従って自身の家具を構成することを可能にすることである。
【課題を解決するための手段】
【０００７】
本発明の装置は、高い多用途性を特徴とする限られた数のモジュールしか含まないながらも、そのような目的を達成した。
【０００８】
本発明の装置のモジュールは、用いられる内部の棚の数に従って任意の高さを有するワードローブを作り出すように、所望に応じてユーザが組み合わせることができることに留意されたい。
【０００９】
１つの棚を有するワードローブを実現するのに用いられる同じ構成部材を、より多くのサンプルにおいて用いて、１つ、３つ又はそれ以上の棚を有するワードローブを実現することもできる。
【００１０】
さらに、全てのモジュール式構成部材が成形プラスチック材料から得られることは、それらの費用及び重量を減らす必要があることによって説明がつく。
【００１１】
本発明による装置の更なる有利な特徴は、ねじ、プラグ等の外部接続手段を用いることなく種々のモジュールが安定した連結を提供することができることに関する。
【００１２】
さらに、本発明による装置の種々のモジュールは、家具の対応する部材に、家具の単なる「カバー」構造として働くことに単純に限定されない自己支持骨組をもたらすことが可能である。
【００１３】
そのような提案は、最終結果に関して完全に安全に、誰もが家具の部材を容易かつ迅速に作り出すことが可能であることを考慮すれば認識される。
【００１４】
説明のために、限定的ではなく例示的であるに過ぎない添付の図面を参照して本発明を引き続き説明する。
【図面の簡単な説明】
【００１５】
【図１Ａ】本発明の骨組の水平パネルの不等角投影上面図である。
【図１Ｂ】図１Ａの水平パネルの不等角投影底面図である。
【図２】本発明の装置の後部の不等角投影正面図である。
【図３Ａ】本発明の装置の垂直パネルの不等角投影外面図である。
【図３Ｂ】図３Ａの垂直パネルの不等角投影内面図である。
【図４Ａ】本発明の装置の最上部の不等角投影上面図である。
【図４Ｂ】図４Ａの最上部の不等角投影底面図である。
【図５Ａ】本発明の装置のドアの不等角投影外面図である。
【図５Ｂ】図５Ａのドアの不等角投影内面図である。
【図６Ａ】本発明の装置のドアのヒンジを示す、不等角投影斜視図である。
【図６Ｂ】本発明の装置のドアのヒンジを示す、不等角投影斜視図である。
【図６Ｃ】本発明の装置のドアのヒンジを示す、不等角投影斜視図である。
【図７Ａ】本発明の装置のハンドルを有する第１のストリップの不等角投影底面図である。
【図７Ｂ】図７Ａのストリップの不等角投影上面図である。
【図８】本発明の装置のハンドルを有しない第１のストリップの不等角投影底面図である。
【図９Ａ】本発明の装置のハンドルを有する第２のストリップの不等角投影底面図である。
【図９Ｂ】図９Ａのストリップの不等角投影上面図である。
【図１０】本発明の装置のハンドルを有しない第２のストリップの不等角投影底面図である。
【図１１Ａ】本発明の装置のプレート及び柱の不等角投影図である。
【図１１Ｂ】図１１Ａの２つの構成部材の、図１Ａの水平パネルのサンプルとの協働モードの不等角投影図である。
【図１１Ｃ】本発明の装置によって得られる家具の部材に設置される、図１１Ａの２つの構成部材の不等角投影図である。
【図１２Ａ】本発明の装置の端部キャップを示す不等角投影斜視図である。
【図１２Ｂ】本発明の装置の端部キャップを示す不等角投影斜視図である。
【図１２Ｃ】本発明の装置の端部キャップを示す不等角投影斜視図である。
【図１３】図１Ａの水平パネルの、図２の後部との協働モードの不等角投影図である。
【図１４Ａ】図１３の上記構成部材と、図３Ａの垂直パネルの３つのサンプルとの組み立てステップを示す不等角投影図である。
【図１４Ｂ】図１３の上記構成部材と、図３Ａの垂直パネルの３つのサンプルとの組み立てステップを示す不等角投影図である。
【図１５】組み立てられた状態の、図４Ａの最上部と図１４Ｂの構成部材との協働モードの不等角投影図である。
【図１６Ａ】本発明の装置の構成部材によって得られる家具の部材を組み立てるステップを示す不等角投影図である。
【図１６Ｂ】本発明の装置の構成部材によって得られる家具の部材を組み立てるステップを示す不等角投影図である。
【図１７】本発明の装置の構成部材を好適に組み立てることによって得られる、ドアを有しない付加的な家具の部材の不等角投影図である。
【図１８】本発明の装置の構成部材を好適に組み立てることによって得られる、ドアを有しない付加的な家具の部材の不等角投影図である。
【図１９Ａ】本発明の装置の構成部材を好適に組み立てることによって得られる、ドア及び３つの棚を有する家具の部材の不等角投影図である。
【図１９Ｂ】図１９Ａ及び図１９Ｃに示されている家具の部材に設けられるドアのうちの１つの分解不等角投影図である。
【図１９Ｃ】本発明の装置の構成部材を好適に組み立てることによって得られる、ドア及び３つの棚を有する家具の部材の不等角投影図である。
【図２０Ａ】図１Ａの水平パネルの代替的な実施形態の不等角投影図である。
【図２０Ｂ】図２０Ａの水平パネルのサンプルが設けられている家具の部材の不等角投影図である。
【図２１Ａ】本発明の装置の足部の不等角投影上面図である。
【図２１Ｂ】本発明の装置の足部の不等角投影底面図である。
【図２２Ａ】図２１Ａ及び図２１Ｂの足部の第１の組み立てモードを順に示す不等角投影図である。
【図２２Ｂ】図２１Ａ及び図２１Ｂの足部の第１の組み立てモードを順に示す不等角投影図である。
【図２２Ｃ】図２１Ａ及び図２１Ｂの足部の第１の組み立てモードを順に示す不等角投影図である。
【図２３Ａ】図２１Ａ及び図２１Ｂの足部の第２の組み立てモードを順に示す不等角投影図である。
【図２３Ｂ】図２１Ａ及び図２１Ｂの足部の第２の組み立てモードを順に示す不等角投影図である。
【発明を実施するための形態】
【００１６】
上述の図を参照すると、本発明の装置は、前ドアを有するか又は有しないワードローブを実現するために所望の数及び組み合わせで時折用いることができる成形プラスチック材料から得られる一連のモジュールから構成される。
【００１７】
そのために、上記モジュールのそれぞれには、他のモジュールに設けられる対応する連結手段及び止め手段と協働するように構成される止め手段に関連する連結手段が設けられている。
【００１８】
図１Ａ及び図１Ｂを具体的に参照すると、本発明の装置の第１のモジュールは、家具の部材の底又は中間の棚として区別なく働くために水平位置に取り付けられるように構成される第１の枠付きの四角形パネル（１）から構成される。
【００１９】
図１Ａにはっきりと示されているように、上記第１の水平パネル（１）の上面は、前方から後方まで延びる３つの同一の横方向溝（１ａ）が設けられることを特徴とし；上記溝（１ａ）のうちの２つは水平パネル（１）の外側縁の高さで得られ、第３の溝は、水平パネルの中心線に得られるようになっている。
【００２０】
上記３つの横方向溝（１ａ）の後方端部は、同一の形状及びセクションを有し、パネル（１）の後方縁の高さで得られる長手方向溝（１ｂ）内で終端する。
【００２１】
横断仕切り（１ａ’、１ｂ’）が上記溝（１ａ、１ｂ）の底から突出し、等間隔に離間しており、これらを受け入れる溝の深さよりも小さい高さを有する。
【００２２】
上記溝（１ａ、１ｂ）の存在は、連続的な面を有し、家具の部材内に収納される物体の支持面として働くように構成される２つの大きい四角形部分（２）を、水平パネル（１）の上面において隔てる。
【００２３】
上記パネルの底面図である図１Ｂに示されているように、３つの横方向溝（１ａ）及び長手方向溝（１ｂ）は、上記水平パネル（１）の下面の、３つの横方向溝（１０ａ）及び１つの長手方向溝（１０ｂ）に正確に対応する。
【００２４】
上記水平パネル（１）の下面に対応して得られる上記４つの溝（１０ａ、１０ｂ）は、対応する「上側」溝（１ａ、１ｂ）と同じ形状及びセクションを有し、対応する一連の横断仕切り（１０ａ’、１０ｂ’）が、それらの深さ全体にではないが、同様に設けられている。
【００２５】
便宜上、上記第１の水平パネル（１）の上面に得られる上記４つの溝（１ａ、１ｂ）は、「上側溝」として規定され、同じ水平パネル（１）の下面に得られる同様の溝（１０ａ、１０ｂ）は「下側溝」として規定される。
【００２６】
４つの上側溝（１ａ、１ｂ）は、水平パネル（１）の厚さの半分に得られる水平仕切り壁（１１）によって対応する４つの下側溝（１０ａ、１０ｂ）とつながることに留意されたい。
【００２７】
上記図１Ａ及び図１Ｂを比較すると、上記上側溝（１ａ、１ｂ）及び下側溝（１０ａ、１０ｂ）の存在によって、上記第１の水平パネル（１）の上面の２つの四角形部分（２）は底が空であることが示される。
【００２８】
実際、パネル（１）の下面では、各部分（２）は、パネル（１）の上面に影響を与えることなくパネルの前方縁の高さに得られる溝（４）の存在のために、２つの横方向縁（３ａ）、１つの後方長手方向縁（３ｂ）及び１つの前方長手方向縁（３ｃ）によって画定される。
【００２９】
後方長手方向縁（３ｂ）には、基本的に中央位置に、水平方向の一対のスロット（５ａ、５ｂ）が設けられており、スロットのうちの第１のスロット（５ａ）は、上記上側溝（１ａ、１ｂ）と下側溝（１０ａ、１０ｂ）との間に位置する仕切り壁（１１）よりも高い高さにあり、一方で、第２のスロット（５ｂ）は仕切り壁（１１）よりも低い高さにある。
【００３０】
２対の水平スロット（５ａ、５ｂ）が、上記横方向縁（３ａ）の２つの端部を向いて横方向縁のそれぞれに得られる。
【００３１】
言い換えると、上記上側溝（１ａ、１ｂ）のそれぞれには、その外側縁のうちの一方に、上記第１のスロット（５ａ）の１つ又は複数のサンプルが設けられ、上記下側溝（１０ａ、１０ｂ）のそれぞれには、同じ外側縁の、上記水平壁（１１）に対して下側位置に、第２のスロット（５ｂ）のサンプルが設けられるとすることができる。
【００３２】
図２を参照すると、本発明のモジュール式装置の第２の構成部材は、垂直位置で取り付けられるように構成され、したがって家具の部材の後部（９）として構成される付加的な枠付きの四角形パネルからなる。
【００３３】
上記後部（９）は、垂直の一連の横断リブ（Ｎ）によって内部が補強される空の構造を有する。
【００３４】
対向する対の、短く、基本的にＶ字形のノッチ（１２）が、後部（９）の下側長手方向縁（９ａ）及び上側長手方向縁（９ｂ）に得られる。
【００３５】
図２にはっきりと示されているように、２対の楔形材（１３ａ、１３ｂ）が後部（９）の内面に設けられており、第１の対の上記楔形材（１３ａ）は上記下側長手方向縁（９ａ）の高さに位置し、第２の対の上記形材（１３ｂ）は上記上側長手方向縁（９ｂ）の高さに位置するようになっている。
【００３６】
さらに、上記後部（９）は、前側に、２つの構成部材が相互に連結されるときに第１のパネル（１）の上記溝（１ａ）に完全に位置合わせされるように構成される３つの垂直溝（９ｃ）が設けられている。
【００３７】
実際、後部（９）は、図１３にはっきりと示されているように、上記第１のパネル（１）の後方長手方向縁において垂直位置でパネル（１）の上面に連結されるように構成される。
【００３８】
より正確には、後部（９）の下側長手方向縁（９ａ）が、第１のパネル（１）の上側長手方向溝（１ｂ）に正確に挿入される。
【００３９】
上記を考慮して、後部（９）は、パネル（１）の上側長手方向縁（１ｂ）と同じ長さを有しなければならず、後部（９）の下側長手方向縁（９ａ）はパネル（１）の上記上側長手方向縁（１ｂ）の内部に正確に係合するように構成される。
【００４０】
そのような挿入が完了すると、後部（９）と水平パネル（１）との連結を安定させるのに必要な他の２つの重要な状態が生じる。
【００４１】
まず、後部（９）の下側長手方向縁（９ａ）に得られる上記Ｖ字形のノッチ（１２）が、水平パネル（１）の上側長手方向溝（１ｂ）の底から突出する上記横断仕切り（１ｂ’）に正確に「跨って」配置されることを言及しておく。
【００４２】
同時に、後部（９）の内側の、下側長手方向縁（９ａ）に設けられる上記楔形材（１３ａ）は、パネル（１）の、上記仕切り壁（１１）よりも高い高さにおいて、及びより低い後方位置においてパネル（１）の上記連続的な部分（２）を画定する横方向縁（３ｂ）に得られるスロット（５ａ）内に嵌まる。
【００４３】
上記楔形材（１３ａ）がスロット（５ａ）内に嵌まることは、パネル（１）及び後部（９）を作るのに用いられるプラスチック材料の固有の弾性変形を考慮して、並びに、後部（９）の下側縁（９ａ）及び水平パネル（１）の上側溝（１ｂ）を連結するときに家具の部材の組み立てを担当する作業者が加えるかなりの力も考慮して得られることに留意されたい。
【００４４】
本発明の装置の第３の構成部材は、側部及び内部の仕切りとして上記第１のパネル（１）の上に取り付けられるように構成される、以下では「壁」（１４）として規定される付加的な枠付きの四角形パネルからなる。
【００４５】
上記壁（１４）は、内面及び外面をそれぞれ示す図３Ａ及び図３Ｂに示されている。
【００４６】
後部（９）のように、壁（１４）も、垂直の一連の横断リブ（Ｎ）によって内部が補強される空の構造を有する。
【００４７】
下側縁（１４ａ）及び上側縁（１４ｂ）の双方に、一連の対向する対のＶ字形のノッチ（１２）が設けられ、また、２対の上記楔形材（１５ａ、１５ｂ）が下側縁（１４ａ）及び上側縁（１４ｂ）にそれぞれ配置される。
【００４８】
図３Ｂに示されているように、上記壁（１４）の、後方垂直縁には、上記後部（９）の前面に設けられている上記垂直溝（９ｃ）のうちの１つと完全に適合する直線的なリブ（１４ｃ）が設けられている。
【００４９】
図１４Ａ及び図１４Ｂは、水平パネル（１）と後部（９）とを連結することからなる事前の組み立て作業後の、上記壁（１４）の３つのサンプルの目的地を示している。
【００５０】
上記の図に示されているように、上記壁（１４）の２つのサンプルは家具の部材の側面として働き、第３のサンプルは、他の２つのサンプル間の中間位置において内部仕切りとして働く。
【００５１】
上記構成部材同士を連結するために、各壁（１４）の下側縁（１４ａ）は、壁（１４）の当該下側縁（１４ａ）に得られる上記Ｖ字形のノッチ（１２）が水平パネル（１）の上側横方向溝（１ａ）の底から突出する仕切り（１ａ’）に「跨って」正確に配置されるように、第１のパネル（１）の３つの上側横方向溝（１ａ）のうちの１つの内部に正確に係合するように構成される。
【００５２】
同時に、壁（１４）の内面の、下側縁（１４ａ）に設けられる上記楔形材（１５ａ）は、第１のパネル（１）の、上記仕切り壁（１１）よりも高い高さにおいて、及びより低い後方位置においてパネル（１）の上記連続的な部分（２）を画定する長手方向縁（３ｂ）に得られるスロット（５ａ）内に嵌まる。
【００５３】
明らかに、各壁（１４）の後方垂直リブ（１４ｃ）を後部（９）の前面に設けられる対応する溝（９ｃ）内に正確に挿入することによる、完全なセンタリングの観点からの相互の連結が好ましい。
【００５４】
本発明の装置の第４の構成部材は、家具の部材の最上部（１６）として働くように構成される付加的な枠付きの四角形パネルからなる。
【００５５】
図４Ａ及び図４Ｂは、最上部（１６）をはっきりと示しており、完全に滑らかな上面、及びかなり不規則な構造を有する枠付きの下面をそれぞれ示している。さらに、上記最上部（１６）の上面は、下面に対して僅かに突出することに留意されたい。
【００５６】
上記最上部（１６）の下面は、水平位置で家具の部材の底及び棚として働く上記第１のパネル（１）の下面に基本的に対応する構造を有すると言える。
【００５７】
上記最上部（１６）は：
−後方長手方向溝（１００ｂ）であって、当該後方長手方向溝の底から、等間隔に離間した一連の垂直仕切り（１００ｂ’）が突出する、後方長手方向溝（１００ｂ）、
−前方長手方向溝（４０）、
−上記後方長手方向溝（１００ｂ）に接合されている１組の３つの横方向溝（１００ａ）であって、これらにはそれぞれ、底に、対応する組の垂直仕切り（１００ａ’）が設けられている、１組の３つの横方向溝（１００ａ）、
−リブ（Ｎ１）によって補強される、２つの大きい基本的に正方形の部分（２０）であって、これらはそれぞれ、２つの横方向縁（３０ａ）、後方長手方向縁（３０ｂ）及び前方長手方向縁（３０ｃ）によって画定され；上記後方長手方向縁（３０ｂ）は水平位置に配置される１つの中央スロット（５ｂ）を有し、上記横方向縁（３０ｂ）のそれぞれは端部の向きの上記スロット（５ａ）の２つのサンプルを有するようになっている、２つの大きい基本的に正方形の部分（２０）
を含む。
【００５８】
図１５は、先行する図１４Ｂに示されている構造を有する家具の部材の組み立てを完成させるための最上部（１６）の設置を示している。
【００５９】
最上部（１６）は、後部（９）の上側縁（９ｂ）が後方長手方向溝（１００ｂ）内に正確に挿入され、３つの壁（１４）の上側縁（１４ｂ）が横方向溝（１００ａ）内に正確に挿入されるように、上から下に挿入される。
【００６０】
そのような連結中、後部（９）の上側縁（９ｂ）に得られるＶ字形のノッチ（１２）の対は、最上部（１６）の後方長手方向溝（１００ｂ）内に設けられる横断仕切り（１００ｂ’）と接合し、各壁（１４）の上側縁（１４ｂ）に得られるＶ字形のノッチ（１２）の対は、最上部（１６）の横方向溝（１００ａ）内に設けられる横断仕切り（１００ａ’）と接合する。
【００６１】
そのような連結は、一方では、後部（９）の上側長手方向縁（９ｂ）の内側位置に得られる楔形材（１３ｂ）が最上部（１６）の下面の２つの大きい部分（２０）を画定する後方長手方向縁（３０ｂ）に設けられるスロット（５ａ）に貫入し、他方では、各壁（１４）の上側縁（１４ｂ）の内側位置に得られる楔形材（１５ｂ）が最上部（１５）の下面の２つの部分（２０）を画定する横方向縁（３０ａ）に設けられるスロット（５ａ）に貫入するため、付加的に安定化される。
【００６２】
図１６Ａ及び図１６Ｂを参照すると、本発明の装置は、複数の棚を有する家具の部材を実現するのに用いることもできる。
【００６３】
そのような場合、図１４Ｂに示されているように、水平パネル（１）のサンプル、後部（９）、及び壁（１４）の３つのサンプルを連結した後で、この構造の上部を、図１６Ａに示されているようにこの場合は棚として働く上記水平パネル（１）の付加的なサンプルによって閉じなければならない。
【００６４】
そのような取り付けは、上記後部（９）及び壁（１４）の上側縁が、棚として働く上記水平パネル（１０）の下面に得られる上記下側溝（１０ａ、１０ｂ）に正確に係合する限り、得ることができる。
【００６５】
特に、後部（９）の上側縁（９ｂ）は上記第１のパネル（１）の下面の後方長手方向溝（１０ｂ）内に挿入されなければならず、一方で、３つの壁（１４）の上側縁（１４ｂ）は、パネル（１）の下面の３つの横方向溝（１０ａ）に挿入されなければならない。
【００６６】
さらに、上記連結は、後部（９）及び３つの垂直壁（１４）の上部に設けられる上記Ｖ字形のノッチ（１２）が、棚として働く上記第１のパネル（１）の下面に設けられる３つの横方向溝（１０ａ）及び後方長手方向溝（１０ｂ）にそれぞれ設けられる上記仕切り（１０ａ’、１０ｂ’）と正確に接合することを保証する。
【００６７】
同時に、後部（９）の上側縁（９ｂ）の内側位置に設けられる楔形材（１３ｂ）は、棚として働く第１のパネル（１）の下面から突出する上記長手方向縁（３ｂ）内で、上記水平仕切り（１１）の下に配置されるスロット（５ｂ）内に嵌まる。
【００６８】
同様に、各垂直壁（１４）の上側縁（１４ｂ）の高さに設けられる２つの楔形材（１５ｂ）は、パネル（１）の下面から突出する横方向縁（３ａ）に得られる、上記水平仕切り（１１）の下にある対応するスロット（５ｂ）内に嵌まる。
【００６９】
図１６Ｂを参照すると、棚として働く上記第１のパネル（１）の上面は、後部（９）、及び垂直壁（１４）の３つのサンプルに連結されている。
【００７０】
この作業は、底として働く第１のパネル（１）の上面と、後部（９）及び３つの壁（１４）との連結を示す、図１４Ａ及び図１４Ｂを参照して示される設置モードに従って行われる。
【００７１】
図１６Ｂはまた、図４Ｂ、図１４Ａ、図１４Ｂ及び図１５を参照して示された設置モードに従って家具の部材の最上部を閉じるのに用いられる最上部（１６）の存在を示している。
【００７２】
明らかに、好適な数の上記モジュール式構成部材（１、３、１４）を組み合わせることによって、図１６ｂに示されているよりも多くの棚を有する家具の部材を実現することができ；限定ではなく例示のために、図１７を参照する。
【００７３】
上述の図を参照すると、本発明の装置の全ての構成部材には、製造要件のために、確実に美観を台無しにする傾向がある正方形の孔（Ｆ、ＦＣ）が設けられることに留意されたい。
【００７４】
この理由で、本発明のモジュール式装置の付加的な構成部材は、図１２Ａ、図１２Ｂ及び図１２Ｃに示されているキャップ（１７）からなる。当該キャップ（１７）の機能は、図１５及び図１７に示されているように上記正方形の孔（Ｆ、ＦＣ）を閉じることである。
【００７５】
特に、キャップ（１７）には、正方形のベースを有する空のピラミッド形のヘッド（１７ａ）が設けられており、ベースの後方開口は基本的に正方形の縁（１７ｂ）によって画定され、正方形の縁からは、正方形の縁（１７ｂ）の外側位置において、キャップ（１７）の中央に向かって収束する傾斜したプロファイル（１７ｄ）を有する、２つの対向する対のフック形状の歯（１７ｃ）が部分的に突出している。
【００７６】
さらに、上記正方形の縁（１７ｂ）は、上記孔（Ｆ、ＦＣ）のうちの１つに正確に挿入されるように形状決め及び寸法決めされている。
【００７７】
しかし、そのような挿入は、２対の歯（１７ｃ）間の距離が孔（Ｆ）の幅よりも大きいため、２対の歯が閉位置になった状態で得ることができる。
【００７８】
２対の歯（１７ｃ）は、孔（Ｆ）内にキャップ（１７）を積極的に押すことによって閉位置になり、そのようにして、孔の開口縁と歯（１７ｃ）の前方の傾斜したプロファイル（１７ｄ）との間で生成される干渉によって、２つの対向する対の歯（１７ｃ）間にアイドル状態で提供される距離が低減し、したがって孔（Ｆ）への挿入が可能となる。
【００７９】
キャップ（１７）に用いられるプラスチック材料の固有の弾性のために、キャップが孔（Ｆ、ＦＣ）の開口を通るとすぐに、４つの歯（１７ｃ）が跳ね返り効果を受け、これは、４つの歯が再び離れて孔（Ｆ、ＦＣ）の開口の後部に嵌まることを意味し、したがってキャップ（１７）が思いがけず外れることを防止する。
【００８０】
そのような革新的な技術では、図１８及び図１９に示されているようなドアを有する家具の部材を作ることも可能である。
【００８１】
そのような解決策を実現するために、本発明の装置には、それぞれ図５Ａ及び図５Ｂに示されているドア（１８）並びに図６Ａ、図６Ｂ及び図６Ｃに示されているヒンジ（２１）からなる２つの付加的な構成部材が設けられている。
【００８２】
図５Ａ及び図５Ｂを参照すると、ドア（１８）は、基本的に壁（１４）と同じ形状及び寸法を有する、垂直の一連の横断リブ（Ｎ）によって内部が補強される枠付きのパネルからなる。
【００８３】
対向する対の基本的にＶ字形のノッチ（１２）がドア（１８）の下側縁（１８ａ）及び上側縁（１８ｂ）に得られる。
【００８４】
図５Ｂに示されているように、上記ドア（１８）の内面には、上記下側縁（１８ａ）の高さの第１の対の楔形材（１９ａ）、及び上記上側縁（１８ｂ）の高さの第２の対の楔形材（１９ｂ）が設けられている。
【００８５】
ドア（１８）の上記Ｖ字形のノッチ（１２）及び楔形材（１９ａ、１９ｂ）は、本発明の装置の前述の構成部材を参照して示した対応するノッチ及び楔形材と同じ形状、位置及びサイズを有する。
【００８６】
ドア（１８）の特性は、垂直縁のうちの１つに、筒状の円筒形材（２０）、特定の距離だけ隔てられたままで、ドア（１８）の上記下側縁（１８ａ）及び上記上側縁（１８ｂ）の高さにそれぞれ配置される下側端部（２０ａ）及び上側端部（２０ｂ）が存在することである。
【００８７】
上記ドア（１８）と協働するように設計されている構成部材は、図６Ａ、図６Ｂ及び図６Ｃにはっきりと示されているヒンジ（２１）からなる。
【００８８】
上記ヒンジ（２１）は、弾性圧縮可能なＶ字形のブリッジ（２１ｃ）によって端部が接続される２つの収束アーム（２１ｂ）から構成される径方向プラグ（Ｓ）を外側位置で支持する円筒スリーブ（２１ａ）から形成され、上記アーム（２１ｂ）のそれぞれの端部には、上記スリーブ（２１ａ）の軸と平行な位置の歯（２１ｄ）が設けられるようになっている。
【００８９】
上記を考慮して、家具の部材へのドア（１８）の設置モードを説明することができる。
【００９０】
第１の作業は、ドア（１８）の上記垂直円筒形材（２０）の下側端部（２０ａ）の外側にヒンジ（２１）の第１のサンプルのスリーブ（２１ａ）を、及び同じ垂直円筒形材（２０）の上側端部（２０ｂ）の外側に同じヒンジ（２１）の第２のサンプルのスリーブ（２１ａ）を挿入することであり；そのような状態は図１９に示されている。
【００９１】
第２の作業は、この時点でドア（１８）と連結されている２つのヒンジ（２１）のプラグ（Ｓ）を、底及び棚として働く上記第１のパネル（１）の端部、並びに最上部（１６）の端部の正面に設けられる正方形の孔（ＦＣ）内に強制的に挿入することであり；上記孔（ＦＣ）の存在は図１Ａ及び図４Ｂに示されている。
【００９２】
アイドル位置では、上記プラグ（Ｓ）のそれぞれは、孔（ＦＣ）の入口セクションよりも大きい体積を有することに留意されたい。
【００９３】
しかし、そのような場合ではまた、孔（ＦＣ）へのプラグ（Ｓ）の挿入は、プラグ（Ｓ）の２つの側で突出する上記前方フック（２１ｄ）と孔（ＦＣ）の垂直縁との間に形成される干渉を用いて得られる。
【００９４】
プラグ（Ｓ）の挿入中に好適な力を加えることによって克服することができるそのような干渉によって、プラグ（Ｓ）の上記２つのアーム（２１ｂ）を接続する上記弾性ブリッジ（２１ｃ）が圧縮され、したがって２つのアームが近づく。
【００９５】
プラグ（Ｓ）をそのように一時的に薄くすることによって、孔（ＦＣ）へのプラグの挿入が可能となる。
【００９６】
明らかに、上記プラグ（Ｓ）は、前方フック（２１ｄ）が孔（ＦＣ）の垂直縁を通過し、相互の干渉がなくなるとすぐに、その通常の状態に自発的にかつ突然戻る傾向にある。
【００９７】
そのような状態では、弾性ブリッジ（２１ｃ）はその通常の位置に戻る傾向にあり、２つのアーム（２１ｂ）は再び離れ、フック（２１ｄ）は孔（ＦＣ）の垂直縁の内側位置に嵌まり、したがってヒンジ（２１）が家具の部材から思いがけず連結解除されることを防止する。
【００９８】
本発明の装置は、上記で説明したドア（１８）の上側縁及び下側縁を仕上げるためにドアと協働するように構成される２つの付加的な構成部材を含む。
【００９９】
図７Ａ及び図７Ｂを参照すると、第１の仕上げ構成部材は、前方端部に横方向ハンドル（２３）が設けられている枠付きのストリップ（２２）からなる。
【０１００】
上記ストリップ（２２）には、当該ストリップ（２２）内への、ドア（１８）の上記下側縁（１８ａ）及び上側縁（１８ｂ）のうちの一方の正確な挿入のための、１つの口（ＩＭ）が設けられている。
【０１０１】
以下では「第１の仕上げストリップ」（２２）として規定されるそのようなストリップ（２２）は、図１８に示されているようにドア（１８）を開閉するのに用いられるハンドル（２３）を家具の部材の外側位置に提供するために、ドア（１８）の上側水平縁（１８ｂ）と好ましくは連結されなければならない。
【０１０２】
図７Ａに示されているように、上記第１の仕上げストリップ（２２）の内部には、第１の長手方向縁（２２ｂ）と第２の長手方向縁（２２ｃ）とを接続する横断仕切り（２２ａ）が設けられており；上記垂直縁のうちの第１の縁（２２ｂ）には、長手方向端部に向かって、本発明の装置の前述の構成部材に関して説明したタイプの２つの水平スロット（５ｂ）が設けられ、一方で、第２の長手方向縁（２２ｃ）は上記ハンドル（２３）を外側から支持するようにもなっている。
【０１０３】
そのような第１の仕上げストリップ（２２）をドア（１８）の上部に取り付けるために、ドア（１８）の上側縁（１８ｂ）が上記口（ＩＭ）を用いてストリップ内に挿入され、したがって、縁（１８ｂ）に設けられるノッチ（１２）の上記対と上記第１の仕上げストリップ（２２）の内側位置に設けられる上記仕切り（２２ａ）との間で通常の連結が得られる。
【０１０４】
同時に、付加的な結果が生じ、これは、ドア（１８）の上側縁（１８ｂ）の内側位置に設けられる上記楔形材（１９ｂ）が、第１の仕上げストリップ（２２）の上記第１の長手方向縁（２２ｂ）に設けられるスロット（５ａ）内に嵌まることを意味する。
【０１０５】
図１８に示されているように、上記第１の仕上げストリップ（２２）の、第１の縁（２２ｂ）の外側位置には、ドア（１８）を閉じるときに家具の部材の最上部（１６）の正面に設けられる上記孔（Ｆ）のうちの１つに強制的に挿入されるように構成される、弾性変形可能な構造を有する基本的にオメガ形状の突起が設けられている。
【０１０６】
上記突起（２４）は、閉位置でドア（１８）を安定させるように構成され；上記ドア（１８）の十分に積極的な牽引によって、ドア（１８）を開くために突起（２４）を孔（Ｆ）から引き出すことが可能であるようになっている。
【０１０７】
オメガ形状の突起（２４）を受け入れるように構成される孔（Ｆ）は、図１９Ａ、図１９Ｂ及び図１９Ｃに示されているように、オメガ形状の突起（２４）が上記パネル（１）のサンプルの正面に配置されるときにもドア（１８）を止めるために、パネル（１）の各サンプルの前方縁にも設けられている。
【０１０８】
図１Ａに示されているように、最上部（１６）のように、第１のパネル（１）の前方長手方向縁には、上記正方形の孔の４つのサンプルが設けられており、そのうちの２つ（ＦＣ）は前方縁の端部の向きであり、対称的な位置にある２つ（Ｆ）は、中央の横方向溝（１ａ）の２つの側において中央の横方向溝に近接している。
【０１０９】
ドア（１８）と協働するように構成される付加的な構成部材は、図８に示されている第２の枠付きの仕上げストリップ（２２’）である。当該第２の仕上げストリップ（２２’）は、図７Ａ及び図７Ｂに示されているストリップ（２２）と正確に同じであり、唯一の違いは、ハンドル（２３）が設けられていないことである。
【０１１０】
図１８は、この図に示されている家具の部材に設けられている２つのドア（１８）の下側縁（１８ａ）に上記第２のストリップ（２２’）の２つのサンプルが存在することを示している。
【０１１１】
図９Ａ及び図９Ｂは、上記ドア（１８）と協働するように構成される付加的な構成部材を示しており；付加的な構成部材は、横方向ハンドル（２３）が設けられている第１の接続ストリップ（２５）である。
【０１１２】
上記ストリップ（２５）は、ドア（１８）の上側縁及び下側縁を仕上げるようには構成されておらず、下のドアの上側縁（１８ｂ）と上のドアの下側縁（１８ａ）とを接続する、２つのドア間の接続部として働く。
【０１１３】
上記第１の接続ストリップ（２５）の機能の目的は、図１９Ａ、及び図１９Ｂの分解図に示されており、図１９Ｂは、第１のストリップ（２５）と同一であるが横方向ハンドルが設けられていない第２の接続ストリップ（２５’）も示している。
【０１１４】
まず、２つのドア（１８）を接続するように構成される第１の接続ストリップ（２５）は第１の仕上げストリップ（２２）の２倍の高さを有し、２つの反対側にある口が設けられており、第１の口（ＩＭＩ）は下向きであり、第２の口（ＩＭＳ）は上向きであることに留意されたい。
【０１１５】
図９Ａ及び図９Ｂに示されているように、上記第１の接続ストリップ（２５）の内部には、その厚さの正確に半分に、両面が一連の垂直横断仕切り（２５ａ）に接続されている水平壁（２５ｄ）が設けられている。
【０１１６】
上記水平壁（２５ｃ）はストリップ（２５）の端部までは延びず、この場合、ハンドル（２３）を支持する縁（２５ｃ）に対向する上記第１の横方向縁（２５ｂ）に、２対の水平スロット（５ａ、５ｂ）が上下に設けられており；各対の第１のスロット（５ａ）は水平壁（２５ｄ）よりも高い高さに位置し、第２のスロット（５ｂ）はより低い高さに位置するようになっている。
【０１１７】
上記第１の接続ストリップ（２５）と、ストリップ（２５）の上下に取り付けられる２つのドア（１８）との連結は、上記第１の仕上げストリップ（２２）を参照して上記で説明した同じモードに従って得られる。
【０１１８】
ドア（１８）の水平な縁（１８ａ、１８ｂ）が両側において上記第１の接続ストリップ（２５）に係合すると、上記縁（１８ａ、１８ｂ）に設けられているＶ字形のノッチ（１２）の対が、上記ストリップ（２５）の内部に設けられている上記横断仕切り（２５ａ）に接合する。
【０１１９】
同時に、ドア（１８）の２つの楔形材（１９ａ）は第１の接続ストリップ（２５）の第１のスロット（５ａ）に嵌まり、下にあるドア（１８）の２つの楔形材（１９ｂ）は、ストリップ（２５）の第２のスロット（５ｂ）に嵌まる。
【０１２０】
図１０は、第１の接続ストリップ（２５）と基本的に同じ構成を有する上記第２の接続ストリップ（２５’）を示しており、唯一の違いは横方向ハンドルが設けられていないことである。
【０１２１】
上記第２の接続ストリップ（２５’）の内部には、一連の垂直横断仕切り（２５ａ）、水平仕切り（２５ｄ）、及び端部に向かって位置する２対の水平スロット（５ａ、５ｂ）が設けられている。
【０１２２】
閉じたドアを有する図１９Ａと同じ家具の部材を示す図１９Ｃは、ドア（１８）と上記仕上げストリップ及び接続ストリップとの間の協働モードを付加的に示している。
【０１２３】
図７Ａ及び図９Ａを具体的に参照すると、第１の仕上げストリップ（２２）及び第１の接続ストリップ（２５）には、正面のハンドル（２３）の下に目（２００）が設けられていることに留意されたい。
【０１２４】
上記図１９Ｃに示されているように、家具の部材のドア（１８）が閉じると、２つの隣接するハンドル（２３）の目（２００）が左右に配置され、錠のフック、チェーンの端部、又は家具の部材を安全に施錠するために用いられる任意の他の手段を挿入するのに用いることができる。
【０１２５】
図１１Ａは、本発明の装置を、自身の特定の要件に従った家具を実現するために用いたい人に対して付加的な代替的な解決策を提供するように考案された、本発明の装置の２つの付加的な構成部材を示している。
【０１２６】
図１１Ａに示されている構成部材のうちの第１の構成部材は、壁（１４）と同じ高さを有する枠付きの柱（２６）であり、一方で、第２の構成部材は、矩形の細長い幅狭のプレート（２７）である。
【０１２７】
図１１Ｂ及び図１１Ｃを具体的に参照すると、柱（２６）には、両端部（２６ａ、２６ａ’）に、家具の部材の内方に面する段部（２６ｂ、２６ｂ’）が設けられている。
【０１２８】
上記柱（２６）の下側端部（２６ａ）は、上記第１のパネル（１）の上面に設けられている中央の横方向溝（１ａ）の前方端部に得られる座部（１ａ’’）内に正確に係合するように構成され；一方で、上側端部（２６ａ’）は、上記第１のパネル（１）の下面に設けられている中央の横方向溝（１０ａ）の前方端部に得られる座部内、又は上記最上部（１６）の下面に設けられている中央の横方向溝（１００ａ）の前方端部に得られる座部（１００ａ’’）内に係合するように構成される。
【０１２９】
柱（２６）の端部（２６ａ、２６ａ’）に設けられている段部（２６ｂ、２６ｂ’）は、上記横方向溝（１ａ、１０ａ、１００ａ）の内部に設けられている上記垂直仕切り（１ａ’、１０ａ’、１００ａ’）の干渉を回避することを可能にする。
【０１３０】
その代わりに、プレート（２７）は、第１のパネル（１）の上記２つの連続的な部分（２）と組み合わせて単一の一続きの面を形成するように、中央の溝（１ａ）の残りの部分に強制的に挿入されるように構成される。
【０１３１】
そのために、プレート（２７）には、目的の溝（１ａ）の横壁に干渉し、当該２つの構成部材間のより安定した連結を実現するように構成される弾性変形可能な楔形材（２７ａ）が横方向に設けられている。
【０１３２】
これらの２つの構成部材（２６、２７）の可能な実際の使用は図１１Ｃに示されており、図１１Ｃは、上記壁（１４）の中間のサンプルによって２つの半体に分割される下側コンパートメント（ＶＩ）、及び柱（２６）が正面で使用されているため家具の部材の一方の側から他方の側へ一続きである上側コンパートメント（ＶＳ）を有する家具の部材を示している。
【０１３３】
上記の図は、家具の部材の上側コンパートメント（ＶＳ）において、柱（２６）が、付加的な水平パネル（１）の支持体又は直接的には最上部（１６）の支持体として働く、下側コンパートメント（ＶＩ）の中間の壁（１４）と同じ機能を有することを示している。
【０１３４】
図２０Ａ及び図２０Ｂを参照すると、本発明の装置は、家具の部材の構成中にユーザにより高い裁量を与えるように構成される付加的な構成部材を含む。
【０１３５】
図２０Ｂは、水平底パネル（１）から上側の最上部（１６）へ、妨げられることなく垂直方向に延びるコンパートメント（ＶＶ）が左側に設けられている家具の部材を示しており、一方で、右側では、対応する垂直容積部は中間の棚によって上側半分及び下側半分に分割されている。
【０１３６】
連続的な垂直コンパートメント（ＶＶ）は図２０Ａに示されている構成部材を用いることによって得られる。
【０１３７】
家具の部材の底及び棚の双方として働くように構成される上記第１の水平パネル（１）と上面及び下面の双方において基本的に同一であるのは第２の水平パネル（１１０）である。
【０１３８】
「非対称」であるものとして規定することができる水平パネルの第２の実施形態（１１０）の特性は、水平パネルの中央の横方向溝（１ａ）の一方の側に１つのみの連続的な部分（２）が設けられることにある。
【０１３９】
中央の横方向溝（１ａ）の他方の側には、後方長手方向溝（１ｂ）の半分から構成されるＬ字形の支持構造体のみが設けられており、後方長手方向溝の端部には対応する横方向溝（１ａ）が通常は接続される。
【０１４０】
上記中央の横方向溝（１ａ）は、上記Ｌ字形の構造体と協働して、第２のパネル（１１０）の正面からアクセス可能な自由スペース（ＳＬ）を画定する。
【０１４１】
図２０Ａに示されているように、上記中央の横方向溝（１ａ）の、上記自由スペース（ＳＬ）に向く側には、中央の溝（１ａ）の反対の側に設けられている上記連続的な部分（２）の上面と同じ高さの上面を有する枠付きのストリップ（１１１）が設けられている。
【０１４２】
上記枠付きのストリップ（１１１）の中央にはより低い長手方向領域（１１２）が設けられており、より低い長手方向領域の底には、等間隔に離間した孔（１１２ａ）が得られ、一方で、より低い長手方向領域の外縁には、上記孔（１１２ａ）に対して互い違いの位置に垂直ペグ（１１２ｂ）が得られる。
【０１４３】
ワードローブ内に非対称なパネル（１１０）が取り付けられる場合、孔（１１２ａ）及びペグ（１１２ｂ）を、様々なタイプの物体又はツールを吊るすか又は掛けるのに有利に用いることができる。
【０１４４】
図１Ａ及び図１Ｂに示されている対応する対称的な実施形態とは異なり、そのような水平の非対称のパネル（１１０）は、家具の部材の棚としてのみ用いられ、底としては用いられないように構成される。
【０１４５】
最後に、図２１Ａ及び図２１Ｂは、上記パネル（１）が家具の部材の底として用いられる場合にパネルの下に取り付けられるように構成される足部（３０）を示している。
【０１４６】
特に、上記足部（３０）は、正方形のベースを有する基本的に切頭ピラミッド形状の枠付き構造を有し、上側の平面的な面に、基本的に半楕円形のプロファイルを有する垂直プラグ（３１ａ、３１ｂ）の対称に対向する対が設けられている。
【０１４７】
上記プラグ（３１ａ、３１ｂ）の機能は、角柱の回転防止連結部を形成するように、パネル（１）の下面に設けられるとともに上記図１Ｂに示されている対応する筒状の座部（３２）内に係合することである。
【０１４８】
各足部（３０）に設けられるプラグ（３１ａ、３１ｂ）の対の特性は、足部の上記上側の平面的な面に対して中心からずれた位置を占めることにある。
【０１４９】
これらのプラグのうちの第１のプラグ（３１ａ）は、基本的には足部（３０）の中心に位置し、一方で第２のプラグ（３１ｂ）は、上記第１のプラグ（３１ａ）と足部（３０）の後方縁（３０ｂ）との間の距離の半分に基本的に位置する。
【０１５０】
上記は、２つの異なるモードに従って足部（３０）をパネル（１）に連結するために考案された。
【０１５１】
特に、足部（３０）のこの代替的な取り付けの解決策は、パネル（１）の前方長手方向縁に対応して取り付けられなければならない３つのサンプルを参照して用いられる。
【０１５２】
これらの取り付けの解決策の第１の解決策は、図２２Ａ、図２２Ｂ及び図２２Ｃに順に示されている。
【０１５３】
上述の図に示されているように、パネル（１）に設けられる６つの足部（３０）は、第１の構成部材の垂直プラグ（３１）と第２の構成部材の対応する筒状の座部（３２）との間で雄雌連結を実現するために、パネルの下面に対して係合しなければならない。
【０１５４】
特に、図２２Ｃは、そのような場合に、パネル（１）の前方に適用される３つの足部（３０）の前方縁（３０ａ）が、パネル（１）の前方長手方向縁に対して大幅に突出する位置に配置されることを示している。
【０１５５】
図２３Ａ及び図２３Ｂは、そうではなく、後方縁（３０ｂ）がパネル（１）の長手方向縁と完全に面一であるように３つの足部（３０）が取り付けられていることを示している。
【０１５６】
言うまでもなく、上記足部（３０）の２つの代替的な取り付けの解決策は、パネル（１）の下面に挿入される前に、上記足部（３０）が１８０°代替的に回転され、したがって垂直プラグ（３１ａ、３１ｂ）の対に関して提供される上記中心からのずれを用いるという状況において実施することができる。
【０１５７】
最後に、ワードローブにドアが設けられる場合には、図２２Ｃの足部（３０）の「突出」位置が好ましく；そのため、各足部（３０）の前方縁（３０ａ）は図１９Ａ及び図１９Ｃに示されているようにドアの前面と基本的に面一であることに留意されたい。
【０１５８】
そうではなく、ワードローブにドアが設けられない場合には、足部（３０）の前方への突出は美観を損ない、役に立たず厄介であるため、図２３Ｂの足部（３０）の「非突出」位置が好ましい；図１７を参照されたい。
【図１Ａ】
0006008216.tif 000002
【図１Ｂ】
0006008216.tif 000003
【図２】
0006008216.tif 000004
【図３Ａ】
0006008216.tif 000005
【図３Ｂ】
0006008216.tif 000006
【図４Ａ】
0006008216.tif 000007
【図４Ｂ】
0006008216.tif 000008
【図５Ａ】
0006008216.tif 000009
【図５Ｂ】
0006008216.tif 000010
【図６Ａ】
0006008216.tif 000011
【図６Ｂ】
0006008216.tif 000012
【図６Ｃ】
0006008216.tif 000013
【図７Ａ】
0006008216.tif 000014
【図７Ｂ】
0006008216.tif 000015
【図８】
0006008216.tif 000016
【図９Ａ】
0006008216.tif 000017
【図９Ｂ】
0006008216.tif 000018
【図１０】
0006008216.tif 000019
【図１１Ａ】
0006008216.tif 000020
【図１１Ｂ】
0006008216.tif 000021
【図１１Ｃ】
0006008216.tif 000022
【図１２Ａ】
0006008216.tif 000023
【図１２Ｂ】
0006008216.tif 000024
【図１２Ｃ】
0006008216.tif 000025
【図１３】
0006008216.tif 000026
【図１４Ａ】
0006008216.tif 000027
【図１４Ｂ】
0006008216.tif 000028
【図１５】
0006008216.tif 000029
【図１６Ａ】
0006008216.tif 000030
【図１６Ｂ】
0006008216.tif 000031
【図１７】
0006008216.tif 000032
【図１８】
0006008216.tif 000033
【図１９Ａ】
0006008216.tif 000034
【図１９Ｂ】
0006008216.tif 000035
【図１９Ｃ】
0006008216.tif 000036
【図２０Ａ】
0006008216.tif 000037
【図２０Ｂ】
0006008216.tif 000038
【図２１Ａ】
0006008216.tif 000039
【図２１Ｂ】
0006008216.tif 000040
【図２２Ａ】
0006008216.tif 000041
【図２２Ｂ】
0006008216.tif 000042
【図２２Ｃ】
0006008216.tif 000043
【図２３Ａ】
0006008216.tif 000044
【図２３Ｂ】
0006008216.tif 000045